(57)【要約】【課題】良品か否かを容易に確認することができるスピーカ装置を提供すること。【解決手段】筐体１０１と、筐体１０１の内部に設けられ、入力された音声信号を増幅して増幅信号を生成する増幅信号生成手段１０２と、筐体１０１の内部に設けられ、増幅信号生成手段１０２によって生成された増幅信号に応じて音声を発生する音声発生手段１０３と、筐体１０１の表面に設けられ、増幅信号生成手段１０２よって生成された増幅信号を出力する出力端子１０４とを備える。【選択図】　図１
2004072180.tif 000002
【特許請求の範囲】
【請求項１】
筐体と、前記筐体の内部に設けられ、入力された音声信号を増幅して増幅信号を生成する増幅信号生成手段と、前記筐体の内部に設けられ、前記増幅信号生成手段によって生成された増幅信号に応じて音声を発生する音声発生手段と、前記筐体の表面に設けられ、前記増幅信号生成手段よって生成された増幅信号を出力する出力端子とを備えたことを特徴とするスピーカ装置。
【請求項２】
前記筐体の表面が凹部を有し、前記出力端子を前記凹部の表面に露出するよう設けたことを特徴とする請求項１記載のスピーカ装置。
【請求項３】
筐体と、前記筐体の内部に設けられ、入力された音声信号を増幅して増幅信号を生成する増幅信号生成手段と、前記筐体の表面に設けられ、前記増幅信号生成手段よって生成された増幅信号を出力する出力端子と、前記筐体の表面に設けられ、前記出力端子によって出力された増幅信号を入力する入力端子と、前記筐体の内部に設けられ、前記入力端子によって入力された増幅信号に応じて音声を発生する音声発生手段とを備えたことを特徴とするスピーカ装置。
【請求項４】
前記筐体の表面が凹部を有し、前記出力端子及び入力端子を前記凹部の表面に露出するよう設けたことを特徴とする請求項３記載のスピーカ装置。
【発明の詳細な説明】
【０００１】
【発明の属する技術分野】
本発明は、アンプを内蔵したスピーカ装置に関するものである。
【０００２】
【従来の技術】
図５は、従来のスピーカ装置の例を示す構成図である。
【０００３】
図５に示すスピーカ装置５００は、背面ケース５０１ａと前面パネル５０１ｂから構成された筐体５０１と、筐体５０１の内部に設けられ、入力端子５０２を介して外部機器から入力された音声信号を増幅して増幅信号を生成するアンプ５０３と、筐体５０１の内部に設けられ、アンプ５０３によって生成された増幅信号に応じて音声を発生するスピーカ５０４とを備えている。
【０００４】
このスピーカ装置５００は、その音響特性を確保するためやその組み立てを容易にするため、背面ケース５０１ａと前面パネル５０１ｂが、図示しない５本から１０本程度のビス等によって強固に固定されている。
【０００５】
また、スピーカ装置５００の生産工程は、例えば、スピーカ５０４の代わりに純抵抗の擬似負荷を用いてアンプ５０３が良品であるか否かを確認する一方、スピーカ５０４に電気信号を印加してスピーカ５０４が良品であるか否かを確認した後、各々の部品を組み立てるようにしている。さらに、スピーカ装置５００の部品を組み立てた状態では、図示しない電源回路等がアンプ５０３やスピーカ５０４にノイズ等の干渉を与えるため、スピーカ装置５００の背面ケース５０１ａを外して、アンプ５０３の端子電圧を測定し、良品であるか否かを確認している。
【０００６】
【発明が解決しようとする課題】
しかしながら、このような従来のスピーカ装置５００は、上述したように、背面ケース５０１ａと前面パネル５０１ｂが、図示しない５本から１０本程度のビス等によって強固に固定されており、分解するのに多大な労力がかかるため、アンプ５０３の端子電圧を容易に測定できず、良品か否かを容易に確認することが困難という問題点があった。
本発明は、このような問題を解決するためになされたもので、良品か否かを容易に確認できるスピーカ装置を提供するものである。
【０００７】
【課題を解決するための手段】
本発明のスピーカ装置は、筐体と、前記筐体の内部に設けられ、入力された音声信号を増幅して増幅信号を生成する増幅信号生成手段と、前記筐体の内部に設けられ、前記増幅信号生成手段によって生成された増幅信号に応じて音声を発生する音声発生手段と、前記筐体の表面に設けられ、前記増幅信号生成手段よって生成された増幅信号を出力する出力端子とを備えた構成を有している。
この構成により、筐体を分解することなく、増幅信号生成手段によって生成された増幅信号を測定することができ、良品か否かを容易に確認することができる。
【０００８】
また、本発明のスピーカ装置は、筐体と、前記筐体の内部に設けられ、入力された音声信号を増幅して増幅信号を生成する増幅信号生成手段と、前記筐体の内部に設けられ、前記増幅信号生成手段によって生成された増幅信号に応じて音声を発生する音声発生手段と、前記筐体の表面に設けられ、前記増幅信号生成手段よって生成された増幅信号を出力する出力端子とを備え、前記筐体の表面が凹部を有し、前記出力端子を前記凹部の表面に露出するよう設けた構成を有している。
この構成により、凹部の表面に出力端子が設けられているので、出力端子に誤って触れてしまうことがない。
【０００９】
また、本発明のスピーカ装置は、筐体と、前記筐体の内部に設けられ、入力された音声信号を増幅して増幅信号を生成する増幅信号生成手段と、前記筐体の表面に設けられ、前記増幅信号生成手段よって生成された増幅信号を出力する出力端子と、前記筐体の表面に設けられ、前記出力端子によって出力された増幅信号を入力する入力端子と、前記筐体の内部に設けられ、前記入力端子によって入力された増幅信号に応じて音声を発生する音声発生手段とを備えた構成を有している。
この構成により、筐体を分解することなく、外部機器に容易に接続することができ、良品か否かを確認することができる。さらに、増幅信号生成手段と音声発生手段とを電気的に分離することができるので、増幅信号生成手段と音声発生手段とを個別に良品か否かを容易に確認することもできる。
【００１０】
また、本発明のスピーカ装置は、筐体と、前記筐体の内部に設けられ、入力された音声信号を増幅して増幅信号を生成する増幅信号生成手段と、前記筐体の表面に設けられ、前記増幅信号生成手段よって生成された増幅信号を出力する出力端子と、前記筐体の表面に設けられ、前記出力端子によって出力された増幅信号を入力する入力端子と、前記筐体の内部に設けられ、前記入力端子によって入力された増幅信号に応じて音声を発生する音声発生手段とを備え、前記筐体の表面が凹部を有し、前記出力端子及び入力端子を前記凹部の表面に露出するよう設けた構成を有している。
この構成により、凹部の表面に出力端子及び入力端子が設けられているので、出力端子及び入力端子に誤って触れてしまうことがない。
【００１１】
【発明の実施の形態】
以下、本発明の実施の形態について、図面を用いて説明する。
（第１の実施の形態）
図１は、本発明の第１の実施の形態のスピーカ装置を示す構成図である。
【００１２】
図１に示すスピーカ装置１００は、筐体１０１と、筐体１０１の内部に設けられ、入力された音声信号を増幅して増幅信号を生成する増幅信号生成手段１０２と、筐体１０１の内部に設けられ、増幅信号生成手段１０２によって生成された増幅信号に応じて音声を発生する音声発生手段１０３と、筐体１０１の表面に露出して設けられ、増幅信号生成手段１０２よって生成された増幅信号を出力する出力端子１０４とを備えている。
【００１３】
筐体１０１は、背面ケース１０１ａと前面パネル１０１ｂとから構成され、背面ケース１０１ａと前面パネル１０１ｂとは、図示しない複数のビス等の止着手段によって強固に固定されている。
【００１４】
増幅信号生成手段１０２は、アンプによって構成され、筐体１０１の背面ケース１０１ａに固定されている。増幅信号生成手段１０２には、入力端子１０５を介して音声信号が入力され、増幅信号生成手段１０２は、入力された音声信号を増幅して増幅信号を生成し、生成された増幅信号を音声発生手段１０３と出力端子１０４とに出力するようになっている。
【００１５】
音声発生手段１０３は、スピーカによって構成され、前面パネル１０１ｂに固定されている。音声発生手段１０３には、増幅信号生成手段１０２によって生成された増幅信号が入力され、音声発生手段１０３は、入力された増幅信号に応じて音声を発生するようになっている。
【００１６】
出力端子１０４は、背面ケース１０１ａの表面に露出するよう設けられ、図示しない外部機器に容易に接続できるようになっている。なお、出力端子１０４は、背面ケース１０１ａの表面に露出するよう設けられているものに限定されるものではなく、前面パネル１０１ｂの表面に露出するよう設けられていてもよい。また、出力端子１０４には、増幅信号生成手段１０２によって生成された増幅信号が入力され、出力端子１０４は、入力された増幅信号を図示しない外部機器に出力するようになっている。
【００１７】
ここで、外部機器は、増幅信号生成手段１０２によって出力された増幅信号を出力端子１０４を介して測定する測定器等を含み、外部機器が、例えばオシロスコープである場合に、増幅信号生成手段１０２によって生成された増幅信号をオシロスコープによって測定できるようになっている。
【００１８】
また、出力端子１０４にかかる電圧が数十Ｖに達するため、出力端子１０４を覆うように図示しない着脱可能なカバー部材を背面ケース１０１ａに設けるようにしてもよい。
【００１９】
次に、図１に示すスピーカ装置１００の動作について以下説明する。
入力された音声信号は、増幅信号生成手段１０２によって増幅され、増幅された増幅信号は、出力端子１０４から出力されるとともに音声発生手段１０３に入力され、入力された増幅信号に応じて音声発生手段１０３によって音声が発生される。
【００２０】
以上説明したように、本発明の第１の実施の形態のスピーカ装置は、筐体を分解することなく、増幅信号生成手段によって生成された増幅信号を測定することができ、良品か否かを容易に確認することができる。
【００２１】
なお、本発明の第１の実施の形態のスピーカ装置１００において、筐体１０１を構成する背面ケース１０１ａは、平滑な表面を有しているが、以下に説明する本発明の第２の実施形態のスピーカ装置２００におけるように、筐体２０１を構成する背面ケース２０１ａの表面は、凹部を有するようにしてもよい。
【００２２】
（第２の実施の形態）
図２は、本発明の第２の実施の形態のスピーカ装置を示す構成図である。
【００２３】
図２に示す背面ケース２０１ａの表面は、筐体２０１の内方向に屈曲するよう凹部２０２を有している。図２に示す背面ケース２０１ａの表面は、この形状に限定されるものではなく、筐体２０１の内方向に窪んでいればどんな形状であってもよい。なお、凹部２０２を覆うように、背面ケース２０１ａに着脱可能なカバー部材を設けてもよい。
【００２４】
図２に示す出力端子１０４は、凹部２０２の表面に露出するよう設けられ、図示しない外部機器を容易に接続できるようになっている。
【００２５】
なお、前述したように本発明の第２の実施の形態のスピーカ装置２００においては、背面ケース２０１ａと凹部２０２以外の構成要素は、本発明の第１の実施の形態のスピーカ装置１００の構成要素と同一であるので、本発明の第１の実施の形態のスピーカ装置１００の構成要素と同一の構成要素に、本発明の第１の実施の形態のスピーカ装置１００の構成要素の符号と同一の符号を付して、その説明を省略する。
【００２６】
以上説明したように、本発明の第２の実施の形態のスピーカ装置は、筐体を分解することなく、増幅信号生成手段によって生成された増幅信号を測定することができ、良品か否かを容易に確認することができる。さらに、本発明の第２の実施の形態のスピーカ装置は、凹部の表面に露出して出力端子が設けられているので、出力端子に誤って触れてしまうことがない。
【００２７】
（第３の実施の形態）
図３は、本発明の第３の実施の形態のスピーカ装置を示す構成図である。
【００２８】
図３に示すスピーカ装置３００は、筐体３０１と、筐体３０１の内部に設けられ、入力された音声信号を増幅して増幅信号を生成する増幅信号生成手段３０２と、筐体３０１の表面に露出して設けられ、増幅信号生成手段３０２よって生成された増幅信号を出力する出力端子３０６、３０７と、筐体３０１の表面に露出して設けられ、出力端子３０６、３０７によって出力された増幅信号を入力する入力端子３０８、３０９と、筐体３０１の内部に設けられ、入力端子３０８、３０９によって入力された増幅信号に応じて音声を発生する音声発生手段３０３とを備えている。
【００２９】
筐体３０１は、背面ケース３０１ａと前面パネル３０１ｂとから構成され、図示しない複数のビス等の止着手段によって強固に固定されている。
【００３０】
増幅信号生成手段３０２は、アンプによって構成され、筐体３０１の背面ケース３０１ａに固定されている。増幅信号生成手段３０２には、入力端子３０５を介して音声信号が入力され、増幅信号生成手段３０２は、入力された音声信号を増幅して増幅信号を生成し、出力端子３０６、３０７に出力するようになっている。
【００３１】
出力端子３０６、３０７、すなわち、正側出力端子３０６と負側出力端子３０７は、背面ケース３０１ａの表面に露出するよう設けられ、後述する外部機器に容易に接続できるようになっている。なお、出力端子３０６、３０７は、背面ケース３０１ａの表面に露出するよう設けられているものに限定されるものではなく、前面パネル３０１ｂの表面に露出するよう設けられていてもよい。また、出力端子３０６、３０７には、増幅信号生成手段３０２によって出力された増幅信号が入力され、出力端子３０６、３０７は、入力された増幅信号を外部機器に出力するようになっている。
【００３２】
また、入力端子３０８、３０９、すなわち正側入力端子３０８と負側入力端子３０９は、背面ケース３０１ａの表面に露出するよう設けられ、後述する外部機器に容易に接続できるようになっている。なお、入力端子３０８、３０９は、背面ケース３０１ａの表面に露出するよう設けられているものに限定されるものではなく、前面パネル３０１ｂの表面に露出するよう設けられていてもよい。
【００３３】
また、正側入力端子３０８は、筐体３０１の表面から外方向に露出して着脱できるリード線３１０によって正側出力端子３０６に接続され、また、負側入力端子３０９は、筐体３０１の表面から外方向に露出して着脱できるリード線３１１によって負側出力端子３０７に接続されている。
【００３４】
入力端子３０８、３０９には、出力端子３０６、３０７によって出力された増幅信号が入力され、入力端子３０８、３０９は、入力された増幅信号を音声発生手段３０３に出力するようになっている。
【００３５】
音声発生手段３０３は、スピーカによって構成され、前面パネル３０１ｂに固定されている。音声発生手段３０３には、入力端子３０８、３０９によって出力された増幅信号が入力され、音声発生手段３０３は、入力された増幅信号に応じて音声を発生するようになっている。
【００３６】
ここで、出力端子３０６、３０７に接続する外部機器は、増幅信号生成手段３０２によって出力された増幅信号を測定する測定器等を含む。外部機器が、例えばオシロスコープである場合に、リード線３１０、３１１が接続された状態で、増幅信号生成手段３０２によって生成された増幅信号を出力端子３０６、３０７を介してオシロスコープによって測定することにより、スピーカ装置３００が良品であるか否かを確認できるようになっている。また、外部機器が、例えばオシロスコープである場合に、リード線３１０、３１１を外した状態で、増幅信号生成手段３０２によって生成された増幅信号を出力端子３０６、３０７を介してオシロスコープによって測定することにより、増幅信号生成手段３０２が良品であるか否かを確認することができる。この場合、生産工程における増幅信号生成手段３０２の良品か否かの確認や修理時における故障判定が容易となる。
【００３７】
また、入力端子３０８、３０９に接続する外部機器は、音声発生手段３０３に擬似的に音声信号を出力する音声信号出力装置等を含む。外部機器が、例えばオシレータである場合に、リード線３１０、３１１を外した状態で、所定の周波数で発振させた音声信号を入力端子３０８、３０９を介してオシレータによって音声発生手段３０３に入力させて、音声発生手段３０３が良品であるか否かを確認できるようになっている。
【００３８】
なお、出力端子３０６、３０７及び入力端子３０８、３０９にかかる電圧が数十Ｖに達するため、出力端子３０６、３０７及び入力端子３０８、３０９を覆うように図示しない着脱可能なカバー部材を背面ケース３０１ａに設けてもよい。
【００３９】
次に、図３に示すスピーカ装置３００の動作について以下説明する。
入力された音声信号は、増幅信号生成手段３０２によって増幅信号が増幅され、増幅された増幅信号は、出力端子３０６、３０７から出力され、出力端子３０６、３０７から出力された増幅信号は、リード線３１０、３１１を介して入力端子３０８、３０９から入力され、入力された増幅信号に応じて音声発生手段３０３によって音声が発生される。
【００４０】
以上説明したように本発明の第３の実施の形態のスピーカ装置は、筐体を分解することなく、外部機器に容易に接続することができ、良品か否かを確認することができる。さらに、本発明の第３の実施の形態のスピーカ装置は、増幅信号生成手段と音声発生手段とを電気的に分離することができるので、増幅信号生成手段と音声発生手段とを個別に良品か否かを容易に確認することもできる。
【００４１】
なお、本発明の第３の実施の形態のスピーカ装置３００において、筐体３０１を構成する背面ケース３０１ａは、平滑な表面を有しているが、以下に説明する本発明の第４の実施形態のスピーカ装置４００におけるように、筐体４０１を構成する背面ケース４０１ａの表面は、凹部を有するようにしてもよい。
【００４２】
（第４の実施の形態）
図４は、本発明の第４の実施の形態のスピーカ装置を示す構成図である。
【００４３】
図４に示す背面ケース４０１ａの表面は、筐体４０１の内方向に屈曲するように凹部４０２を有している。図４に示す背面ケース４０１ａの表面は、この形状に限定されるものではなく、筐体４０１の内方向に窪んでいればどんな形状であってもよい。なお、凹部４０２を覆うように、背面ケース４０１ａに着脱可能なカバー部材を設けてもよい。
【００４４】
図４に示す出力端子３０６、３０７は、背面ケース４０１ａの凹部４０２の表面に露出するよう設けられ、図示しない外部機器を容易に接続できるようになっている。
また、図４に示す入力端子３０８、３０９は、凹部４０２の表面に露出するよう設けられ、図示しない外部機器を容易に接続できるようになっている。
【００４５】
なお、前述したように本発明の第４の実施の形態のスピーカ装置４００においては、背面ケース４０１ａと凹部４０２以外の構成要素は、本発明の第３の実施の形態のスピーカ装置３００の構成要素と同一であるので、本発明の第４の実施の形態のスピーカ装置４００の構成要素と同一の構成要素に、本発明の第３の実施の形態のスピーカ装置３００の構成要素の符号と同一の符号を付して、その説明を省略する。
【００４６】
以上説明したように、本発明の第４の実施の形態のスピーカ装置は、筐体を分解することなく、外部機器に容易に接続することができ、良品か否かを容易に確認することができる。さらに、本発明の第４の実施の形態のスピーカ装置は、増幅信号生成手段と音声発生手段とを電気的に分離することができるので、増幅信号生成手段と音声発生手段とを個別に良品か否かを容易に確認することもできる。また、本発明の第４の実施の形態のスピーカ装置は、凹部の表面に露出して出力端子及び入力端子が設けられているので、出力端子及び入力端子に誤って触れてしまうことがない。
【００４７】
【発明の効果】
以上説明したように、本発明は、良品か否かを容易に確認することができるスピーカ装置を提供するものである。
【図面の簡単な説明】
【図１】本発明の第１の実施の形態のスピーカ装置の概略断面図
【図２】本発明の第２の実施の形態のスピーカ装置の概略断面図
【図３】本発明の第３の実施の形態のスピーカ装置の概略断面図
【図４】本発明の第４の実施の形態のスピーカ装置の概略断面図
【図５】従来のスピーカ装置の概略断面図
【符号の説明】
１００、２００、３００、４００、５００　スピーカ装置
１０１、２０１、３０１、４０１、５０１　筐体
１０１ａ、２０１ａ、３０１ａ、４０１ａ、５０１ａ　背面ケース
１０１ｂ、３０１ｂ、５０１ｂ　前面パネル
１０２、３０２　増幅信号生成手段
１０３、３０３　音声発生手段
１０４、３０６、３０７　出力端子
１０５、３０５、３０８、３０９、５０２　入力端子
３１０、３１１　リード線
２０２、４０２　凹部
５０３　アンプ
５０４　スピーカ
【図１】
2004072180.tif 000003
【図２】
2004072180.tif 000004
【図３】
2004072180.tif 000005
【図４】
2004072180.tif 000006
【図５】
2004072180.tif 000007